(57)【要約】  本発明の実施例は、下りパワー分配のシグナリング指示方法を提供する。前記シグナリング指示方法は、基地局がABS又は低いパワーのサブフレーム中の下りチャネルのパワー分配を指示するためのEPREの比率情報、及び前記比率情報のタイミング指示情報をユーザ装置に送信し、前記ユーザ装置に、前記比率情報及び前記タイミング指示情報に基づいて、前記下りチャネルに対して復調又は測定を行わせることを含む。本発明の実施例により、ユーザ装置は、ABS又は低いパワーのサブフレーム中の下りにキャリーされているユニキャストサービスの物理チャネルが使用するパワーが動的に変化する時に、位相振幅ジョイント変調されたデータを正確に復調し、又は、チャネル状態測定を正確に行うことができる。
2015510326.tif 000002
【特許請求の範囲】
【請求項１】
ABS又は低いパワーのサブフレーム中の下りチャネルに用いる下りパワー分配のシグナリング指示方法であって、
基地局が、前記下りチャネルのパワー分配を指示するためのEPREの比率情報、及び、前記比率情報のタイミング指示情報をユーザ装置に送信し、前記ユーザ装置に、前記比率情報及び前記タイミング指示情報に基づいて、前記下りチャネルに対して復調又は測定を行わせることを含む、シグナリング指示方法。
【請求項２】
請求項1に記載のシグナリング指示方法であって、
前記ABS又は低いパワーのサブフレーム中の下りチャネルは、具体的に、物理下り共用チャネルであり；
前記比率情報は、具体的に、前記物理下り共用チャネルのEPRE及び共通参照シンボルのEPREの比率偏移値、又は、前記物理下り共用チャネルのEPRE及び共通参照シンボルのEPREの一つ又は複数の比率値を含む、シグナリング指示方法。
【請求項３】
請求項1に記載のシグナリング指示方法であって、
前記ABS又は低いパワーのサブフレーム中の下りチャネルは、具体的に、チャネル状態情報参照シンボルであり；
前記比率情報は、具体的に、物理下り共用チャネルのEPRE及び前記チャネル状態情報参照シンボルのEPREの比率偏移値、又は、物理下り共用チャネルのEPRE及び前記チャネル状態情報参照シンボルのEPREの一つ又は複数の比率値を含み、
或いは、前記比率情報は、具体的に、前記チャネル状態情報参照シンボルのEPRE及び共通参照シンボルのEPREの比率偏移値、又は、前記チャネル状態情報参照シンボルのEPRE及び共通参照シンボルのEPREの一つ又は複数の比率値を含む、シグナリング指示方法。
【請求項４】
請求項1〜3の任意の１項に記載のシグナリング指示方法であって、
前記基地局は、下り制御情報により、前記比率情報及び前記タイミング指示情報を前記ユーザ装置に送信する、シグナリング指示方法。
【請求項５】
請求項1〜3の任意の１項に記載のシグナリング指示方法であって、
前記基地局は、上位層シグナリングにより、前記比率情報及び前記タイミング指示情報を前記ユーザ装置に送信する、シグナリング指示方法。
【請求項６】
請求項5に記載のシグナリング指示方法であって、
前記タイミング指示情報は、bitmapマッピングの形で送信される、シグナリング指示方法。
【請求項７】
請求項6に記載のシグナリング指示方法であって、
周波数分割複信システムにおいて、前記タイミング指示情報は、１層又は複数層の40ビットによりキャリーされ、又は、前記タイミング指示情報は、40*Nビットによりキャリーされ、そのうち、Nは、複数のパワーレベルのうち各パワーレベルを表すビット数に対応する、シグナリング指示方法。
【請求項８】
請求項6に記載のシグナリング指示方法であって、
時間分割複信システムにおいて、前記タイミング指示情報は、１層又は複数層の20、60又は70ビットによりキャリーされ、又は、前記タイミング指示情報は、20*Nビット、60*Nビット又は70*Nビットによりキャリーされ、そのうち、Nは、複数のパワーレベルのうち各パワーレベルを表すビット数に対応する、シグナリング指示方法。
【請求項９】
請求項1〜3の任意の１項に記載のシグナリング指示方法であって、
前記下りチャネルは、位相振幅ジョイントの変調方式を採用する、シグナリング指示方法。
【請求項１０】
ABS又は低いパワーのサブフレーム中の下りチャネルに用いる下りパワー分配のシグナリング指示方法であって、
ユーザ装置が、基地局から送信した、前記下りチャネルのパワー分配を指示するためのEPREの比率情報、及び、前記比率情報のタイミング指示情報を受信し；及び
前記ユーザ装置が、前記比率情報及び前記タイミング指示情報に基づいて、前記下りチャネルに対して復調又は測定を行うことを含む、シグナリング指示方法。
【請求項１１】
請求項10に記載のシグナリング指示方法であって、
前記ABS又は低いパワーのサブフレーム中の下りチャネルは、具体的に、物理下り共用チャネルであり；
前記比率情報は、具体的に、前記物理下り共用チャネルのEPRE及び共通参照シンボルのEPREの比率偏移値、又は、前記物理下り共用チャネルのEPRE及び共通参照シンボルのEPREの一つ又は複数の比率値を含む、シグナリング指示方法。
【請求項１２】
請求項11に記載のシグナリング指示方法であって、
前記ユーザ装置が、前記比率情報及び前記タイミング指示情報に基づいて、前記下りチャネルに対して復調又は測定を行うことは、具体的に、
前記ユーザ装置が、前記タイミング指示情報に基づいて、一つ又は複数のサブフレームを確定し、前記比率情報に基づいて、前記一つ又は複数のサブフレーム中の前記物理下り共用チャネル上のパワーを算出し、算出された前記パワーを用いて、前記物理下り共用チャネルに対して復調を行うことを含む、シグナリング指示方法。
【請求項１３】
請求項10に記載のシグナリング指示方法であって、
前記ABS又は低いパワーのサブフレーム中の下りチャネルは、具体的に、チャネル状態情報参照シンボルであり；
前記比率情報は、具体的に、物理下り共用チャネルのEPRE及び前記チャネル状態情報参照シンボルのEPREの比率偏移値、又は、物理下り共用チャネルのEPRE及び前記チャネル状態情報参照シンボルのEPREの一つ又は複数の比率値を含み、
或いは、前記比率情報は、具体的に、前記チャネル状態情報参照シンボルのEPRE及び共通参照シンボルのEPREの比率偏移値、又は、前記チャネル状態情報参照シンボルのEPRE及び共通参照シンボルのEPREの一つ又は複数の比率値を含む、シグナリング指示方法。
【請求項１４】
請求項13に記載のシグナリング指示方法であって、
前記ユーザ装置が、前記比率情報及び前記タイミング指示情報に基づいて、前記下りチャネルに対して復調又は測定を行うことは、具体的に、
前記ユーザ装置が、前記タイミング指示情報に基づいて、一つ又は複数のサブフレームを確定し、前記比率情報に基づいて、前記一つ又は複数のサブフレーム中のチャネル状態情報参照シンボル上のパワーを算出し、算出された前記パワーを用いて、前記チャネル状態情報参照シンボルに対してチャネル測定を行うことを含む、シグナリング指示方法。
【請求項１５】
基地局であって、
EPREの比率情報及び前記比率情報のタイミング指示情報をユーザ装置に送信し、前記ユーザ装置に、前記比率情報及び前記タイミング指示情報に基づいて、下りチャネルに対して復調又は測定を行わせるための情報送信ユニットを含み、
そのうち、前記比率情報は、ABS又は低いパワーのサブフレーム中の前記下りチャネルのパワー分配を指示するために用いられる、基地局。
【請求項１６】
請求項15に記載の基地局であって、
前記ABS又は低いパワーのサブフレーム中の下りチャネルは、具体的に、物理下り共用チャネルであり；
前記比率情報は、具体的に、前記物理下り共用チャネルのEPRE及び共通参照シンボルのEPREの比率偏移値、又は、前記物理下り共用チャネルのEPRE及び共通参照シンボルのEPREの一つ又は複数の比率値を含む、基地局。
【請求項１７】
請求項15に記載の基地局であって、
前記ABS又は低いパワーのサブフレーム中の下りチャネルは、具体的に、チャネル状態情報参照シンボルであり、
前記比率情報は、具体的に、物理下り共用チャネルのEPRE及び前記チャネル状態情報参照シンボルのEPREの比率偏移値、又は、物理下り共用チャネルのEPRE及び前記チャネル状態情報参照シンボルのEPREの一つ又は複数の比率値を含み、
或いは、前記比率情報は、具体的に、前記チャネル状態情報参照シンボルのEPRE及び共通参照シンボルのEPREの比率偏移値、又は、前記チャネル状態情報参照シンボルのEPRE及び共通参照シンボルのEPREの一つ又は複数の比率値を含む、基地局。
【請求項１８】
請求項15〜17の任意の１項に記載の基地局であって、
前記情報送信ユニットは、下り制御情報により、前記比率情報及び前記タイミング指示情報を前記ユーザ装置に送信する、基地局。
【請求項１９】
請求項15〜17の任意の１項に記載の基地局であって、
前記情報送信ユニットは、上位層シグナリングにより、前記比率情報及び前記タイミング指示情報を前記ユーザ装置に送信する、基地局。
【請求項２０】
ユーザ装置であって、
基地局が送信したEPREの比率情報及び前記比率情報のタイミング指示情報を受信するための情報受信ユニットであって、前記比率情報は、ABS又は低いパワーのサブフレーム中の下りチャネルのパワー分配を指示するために用いられる、情報受信ユニット；及び
前記比率情報及び前記タイミング指示情報に基づいて、前記下りチャネルに対して復調又は測定を行うための信号処理ユニットを含む、ユーザ装置。
【請求項２１】
請求項20に記載のユーザ装置であって、
前記ABS又は低いパワーのサブフレーム中の下りチャネルは、具体的に、物理下り共用チャネルであり；
前記比率情報は、具体的に、前記物理下り共用チャネルのEPRE及び共通参照シンボルのEPREの比率偏移値、又は、前記物理下り共用チャネルのEPRE及び共通参照シンボルのEPREの一つ又は複数の比率値を含む、ユーザ装置。
【請求項２２】
請求項21に記載のユーザ装置であって、
前記信号処理ユニットは、具体的に、
前記タイミング指示情報に基づいて、一つ又は複数のサブフレームを確定するためのサブフレーム確定ユニット；
前記比率情報に基づいて、前記一つ又は複数のサブフレーム中の前記物理下り共用チャネル上のパワーを計算するためのパワー計算ユニット；及び
計算された前記パワーを用いて、前記物理下り共用チャネルに対して復調を行うためのチャネル復調ユニットを含む、ユーザ装置。
【請求項２３】
請求項20に記載のユーザ装置であって、
前記ABS又は低いパワーのサブフレーム中の下りチャネルは、具体的に、チャネル状態情報参照シンボルであり；
前記比率情報は、具体的に、物理下り共用チャネルのEPRE及び前記チャネル状態情報参照シンボルのEPREの比率偏移値、又は、物理下り共用チャネルのEPRE及び前記チャネル状態情報参照シンボルのEPREの一つ又は複数の比率値を含み、
或いは、前記比率情報は、具体的に、前記チャネル状態情報参照シンボルのEPRE及び共通参照シンボルのEPREの比率偏移値、又は、前記チャネル状態情報参照シンボルのEPRE及び共通参照シンボルのEPREの一つ又は複数の比率値を含む、ユーザ装置。
【請求項２４】
請求項23に記載のユーザ装置であって、
前記信号処理ユニットは、具体的に、
前記タイミング指示情報に基づいて、一つ又は複数のサブフレームを確定するためのサブフレーム確定ユニット；
前記比率情報に基づいて、前記一つ又は複数のサブフレーム中の前記チャネル状態情報参照シンボル上のパワーを計算するためのパワー計算ユニット；及び
計算された前記パワーを用いて、前記チャネル状態情報参照シンボルに対してチャネル測定を行うための信号測定ユニットを含む、ユーザ装置。
【請求項２５】
コンピュータ可読プログラムであって、
基地局において前記プログラムを実行する時に、前記プログラムは、コンピュータに、前記基地局において、請求項1〜9の任意の１項に記載の下りパワー分配のシグナリング指示方法を実行させるための、プログラム。
【請求項２６】
コンピュータ可読プログラムを記憶した記憶媒体であって、
前記コンピュータ可読プログラムは、コンピュータに、基地局において請求項1〜9の任意の１項に記載の下りパワー分配のシグナリング指示方法を実行させる、記憶媒体。
【請求項２７】
コンピュータ可読プログラムであって、
ユーザ装置において前記プログラムを実行する時に、前記プログラムは、コンピュータに、前記ユーザ装置において請求項10〜14の任意の１項に記載の下りパワー分配のシグナリング指示方法を実行させるための、プログラム。
【請求項２８】
コンピュータ可読プログラムを記憶した記憶媒体であって、
前記コンピュータ可読プログラムは、コンピュータに、ユーザ装置において請求項10〜14の任意の１項に記載の下りパワー分配のシグナリング指示方法を実行させる、記憶媒体。
【発明の詳細な説明】
【技術分野】
【０００１】
本発明は、通信分野に関し、特に、下りパワー分配（割り当て）のシグナリング指示方法、基地局及びユーザ装置に関する。
【背景技術】
【０００２】
LTE-A（LTE-Advanced)システムでは、ユーザ装置のカバレッジを改善し、システムのスループット及びユーザのデータ伝送レートを向上させるために、異質ネットワークのノードが導入されている。例えば、これらの異質ネットワークのノードは、HeNB（Home  eNodeB)、ピコセル（Pico-cell)などを含む。これらの異質ネットワークのノードは、比較的低い送信パワー（送信電力）を用いて、特定の領域又はユーザ装置をカバーし、ネットワークの構成方式は、相対的に柔軟である。
【０００３】
マクロ−ピコセル（Macro-Pico  cell)の周波数が同じである構成のシナリオでは、システムのリソース利用率を向上させるために、ピコセル（Pico  cell)がより多くのユーザ装置をカバーするようにさせ、現在、RSRP(Reference  Signal  Received  Power)に基づくセル選択方法では、ピコセルに傾いているCRE（Cell  Range  Expansion)領域が導入されている。
【０００４】
図1は、Macro-Picoのシナリオを示す図である。図1に示すように、Picoセルのセル範囲拡張領域（CRE)のユーザ装置は、Macroセルからの比較的大きい干渉を受けている。ユーザ装置UEが受信したピコセル（Pico  cell)のRSRPと、偏差値（bias)との和がマクロ（Macro  cell)のRSRPよりも大きいときに、該ユーザ装置UEは、ピコセルに属する。さらに、eICIC（enhanced  Inter-Cell  Interference  Coordination)メカニズムを一緒に用いることにより、システム全体のスループットを向上させることができる。
【０００５】
現在、時間領域のeICICメカニズムが既に規格に含まれている。具体的には、幾つかのサブフレームをABS（Almost  Blank  Subframe)として構成し、ABSにおいて、他のセルへの干渉を低減するために、共通参照シンボル及び必要な極少数の制御チャネルなどは、規定パワーを用いて送信し、他の物理リソース位置においては、全て低いパワーを用いて送信し又は一部のリソースを空にしてパワーを送信しない。
【０００６】
発明者は、本発明の実現過程において、次のことを発見した。即ち、基地局側が幾つかの物理リソース(PRB（Physical  Resource  Block）を基本単位とする）を用いてユニキャストサービスをスケジューリングし、且つ、伝送する前に、データに対して高次位相振幅ジョイント変調（例えば、16QAM又は64QAM)を行った場合、ユーザ装置は、データ（例えば、PDSCHにおいてキャリー（carry）される）を復調する時に、物理下り共用チャネル（PDSCH、Physical  Downlink  Shared  Channel)のEPRE（Energy  per-Resource-Element)と共通参照シンボル(CRS、Common  Reference  Symbol)のEPREとの間の正確な比率（ratio)情報を要し、このような比率情報がなければ、データを正確に復調することができず；
又は、ユーザ装置がチャネル状態情報参照シンボル（CSI-RS、Channel  State  Information  Reference  Symbol)に基づいてチャネル状態測定を行う時に、CSI-RSのEPREとPDSCHのEPREとの間の正確な比率情報を要し、このような比率情報がなければ、チャネル状態測定を正確に行うことができないとのことである。
【０００７】
しかし、ABSにおいてユニキャストサービスをスケジューリングする時に、下り送信パワーの、一つのABS  patternにおける変化は速く、従来のシグナリングは、ユーザ装置がリアルタイムンにその対応する下り信号のパワーに関連する情報を取得し得るようにさせることができず、これにより、データ復調又はチャネル条件測定などの処理の正確性に影響を与えてしまう。
【０００８】
なお、上述の背景技術の紹介は、本発明の技術案を明確且つ完全に説明し、当業者がそれを理解し得るためだけのものである。これらの案は本発明の背景技術の部分に記述されているため、上述の技術案は当業者に周知であると思われてはいけない。
【発明の概要】
【発明が解決しようとする課題】
【０００９】
本発明の実施例は、下りパワー分配のシグナリング指示方法、基地局及びユーザ装置を提供する。その目的は、ABS又は低いパワーのサブフレーム中の下りチャネルのパワーが動的に変化する時に、ユーザ装置が正確に復調又は測定することができないという従来の問題を解決することにある。
【課題を解決するための手段】
【００１０】
本発明の実施例の一側面によれば、ABS又は低いパワーのサブフレームにおける下りチャネルに用いる下りパワー分配のシグナリング指示方法が提供され、前記シグナリング指示方法は、
基地局が、前記下りチャネルのパワー分配に対して指示を行うためのEPREの比率情報、及び、前記比率情報のタイミング（timing）指示情報を、ユーザ装置に送信し、これにより、前記ユーザ装置が、前記比率情報及び前記タイミング指示情報に基づいて、前記下りチャネルに対して復調又は測定を行うことを含む。
【００１１】
本発明の実施例の他の側面によれば、ABS又は低いパワーのサブフレームにおける下りチャネルに用いる下りパワー分配のシグナリング指示方法が提供され、前記シグナリング指示方法は、
ユーザ装置が、基地局から送信した、前記下りチャネルのパワー分配に対して指示を行うためのEPREの比率情報、及び、前記比率情報のタイミング指示情報を受信し；及び
前記ユーザ装置が、前記比率情報及び前記タイミング指示情報に基づいて、前記下りチャネルに対して復調又は測定を行うことを含む。
【００１２】
本発明の実施例の他の側面によれば、基地局が提供され、前記基地局は、
EPREの比率情報及び前記比率情報のタイミング指示情報をユーザ装置に送信し、前記ユーザ装置に、前記比率情報及び前記タイミング指示情報に基づいて、前記下りチャネルに対して復調又は測定を行わせるための情報送信ユニットを含み、
そのうち、前記比率情報は、ABS又は低いパワーのサブフレームにおける前記下りチャネルのパワー分配に対して指示を行うために用いられる。
【００１３】
本発明の実施例の他の側面によれば、ユーザ装置が提供され、前記ユーザ装置は、
基地局が送信したEPREの比率情報及び前記比率情報のタイミング指示情報を受信するための情報受信ユニットであって、そのうち、前記比率情報は、ABS又は低いパワーのサブフレームにおける下りチャネルのパワー分配に対して指示を行うために用いられる、情報受信ユニット；及び
前記比率情報及び前記タイミング指示情報に基づいて、前記下りチャネルに対して復調又は測定を行うための信号処理ユニットを含む。
【００１４】
本発明の実施例の他の側面によれば、コンピュータ可読プログラムが提供され、そのうち、基地局において前記プログラムを実行する時に、前記プログラムは、コンピュータに、前記基地局において上述のような下りパワー分配のシグナリング指示方法を実行させる。
【００１５】
本発明の実施例の他の側面によれば、コンピュータ可読プログラムを記憶した記憶媒体が提供され、そのうち、前記コンピュータ可読プログラムは、コンピュータに、基地局において上述のような下りパワー分配のシグナリング指示方法を実行させる。
【００１６】
本発明の実施例の他の側面によれば、コンピュータ可読プログラムが提供され、そのうち、ユーザ装置において前記プログラムを実行する時に、前記プログラムは、コンピュータに、前記ユーザ装置において上述のような下りパワー分配のシグナリング指示方法を実行させる。
【００１７】
本発明の実施例の他の側面によれば、コンピュータ可読プログラムを記憶した記憶媒体が提供され、そのうち、前記コンピュータ可読プログラムは、コンピュータに、ユーザ装置において上述のような下りパワー分配のシグナリング指示方法を実行させる。
【００１８】
本発明の実施例の有益な効果は、基地局は、ABS又は低いパワーのサブフレームにおける下りチャネルのEPREの比率情報、及び、該比率情報のタイミング指示情報をユーザ装置に送信し、これにより、ユーザ装置は、ABS又は低いパワーのサブフレームにおいて下りにキャリーされているユニキャストサービスの物理チャネルが使用するパワーが動的に変化する時に、位相振幅ジョイント変調されたデータを正確に復調し、又は、チャネル状態測定を正確に行うことができるとのことにある。
【００１９】
後述の説明及び図面に基づき、本発明の特定の実施形態を詳細に開示し、本発明の原理を採用し得る方式を明確にする。なお、本発明の実施形態は、範囲上ではそれによって限定されない。添付した特許請求の範囲の精神及び技術的範囲では、本発明の実施形態は、あらゆる変形、変更に及び代替によるものをも含む。
【００２０】
１つの実施形態について説明した及び/又は示した特徴は、同じ又は類似した方式で、１つ又は複数の他の実施形態に使用し、他の実施形態における特徴と組み合わせ、又は、他の実施形態における特徴を置換することができる。
【００２１】
なお、「包括/含む」のような用語は、本文に使用する時に、特徴、装置全体、ステップ又はアセンブリの存在を指すが、１つ又は複数の他の特徴、装置全体、ステップ又はアセンブリの存在又は付加を排除しないことをも指す。
【図面の簡単な説明】
【００２２】
以下の図面を参照することによって本発明の多くの方面をよりよく理解することができる。図面中の部品は、比例して描かれたものではなく、本発明の原理を示すためだけのものである。本発明の一部を示す又は説明するために、図面中の対応する部分は、拡大又は縮小することがある。本発明の１つの図面又は１つの実施形態に記載の要素及び特徴は、１つ又は複数の他の図面又は実施形態に示した要素及び特徴と組み合わせることができる。また、図面では、類似する符号は、幾つの図面中の対応する部品を示し、また、複数の実施形態に用いる対応する部品を示すために用いられる。
【図１】異質ネットワークにおけるマクロ及びピコセルが共存する様子を示す図である。
【図２】本発明の実施例1におけるシグナリング指示方法のフローチャートである。
【図３】本発明の実施例1におけるDCIが比率偏移値を含むシグナリング指示方法のフローチャートである。
【図４】本発明の実施例1における上位層シグナリングが比率偏移値を含むシグナリング指示方法のフローチャートである。
【図５】本発明の実施例2におけるシグナリング指示方法のフローチャートである。
【図６】本発明の実施例2におけるシグナリング指示方法の他のフローチャートである。
【図７】本発明の実施例2におけるシグナリング指示方法の他のフローチャートである。
【図８】本発明の実施例3における基地局の構成図である。
【図９】本発明の実施例4におけるユーザ装置の構成図である。
【図１０】本発明の実施例4における信号処理ユニットの構成図である。
【図１１】本発明の実施例4における信号処理ユニットの他の構成図である。
【発明を実施するための形態】
【００２３】
添付した図面及び明細書により、本発明の実施例の前述及び他の特徴がより明確になる。明細書及び図面には、本発明の特定の実施形態を詳細に開示しているが、これらは、本発明の原理を採用し得る一部の実施形態のみであり、また、理解すべきは、本発明がこれらの実施形態に限定されず、添付した特許請求の範囲に記載の技術的範囲内であれば、あらゆる変更、変形及び代替を行ってもよいとのことである。
【実施例１】
【００２４】
本発明の実施例は、下りパワー分配のシグナリング指示方法を提供し、それは、ABS又は低いパワーのサブフレームにおける下りチャネルに用いられる。図2は、本発明の実施例におけるシグナリング指示方法のフローチャートである。図2に示すように、基地局側では、前記シグナリング指示方法は、次のステップを含む。
【００２５】
ステップ201：基地局は、ABS又は低いパワーのサブフレーム中の下りチャネルのパワー分配に対して指示を行うためのEPREの比率情報、及び、該比率情報のタイミング指示情報をユーザ装置に送信し、ユーザ装置に、該比率情報及び該タイミング指示情報に基づいて、該下りチャネルに対して復調又は測定を行わせる。
【００２６】
本実施例では、ABS又は低いパワーのサブフレーム中の下りチャネルは、予め指定されているチャネルであってもよく、具体的には、PDSCH又はCSI-RSであってもよい。しかし、これに限定されず、例えば、物理下り制御チャネル（PDCCH、Physical  Downlink  Control  Channel)、エンハンスト物理下り制御チャネル（e-PDCCH、enhanced  Physical  Downlink  Control  Channel)、物理ハイブリッド自動反復要求インジケータチャネル(PHICH、Physical  Hybrid  automatic  repeat  quest  Indicator  Channel)、エンハンスト物理ハイブリッド自動反復要求インジケータチャネル（e-PHICH、enhanced  Physical  Hybrid  automatic  repeat  quest  Indicator  Channel)、エンハンスト物理制御フォーマット指示チャネル(e-PCFICH、enhanced  Physical  Control  Format  Indication  Channel)などの他のチャネルの伝送も上述の方法に適する。以下、PDSCH及びCSI-RSのみを例として説明を行う。
【００２７】
本実施例では、下りチャネルに対する処理は、具体的に、下りデータチャネル又は下り制御チャネルに対して復調を行い、参照シンボルを用いてチャネル品質測定を行うなどを含んでもよい。しかし、これらに限定されず、実際の状況に応じて具体的な実施形態を確定してもよい。
【００２８】
本実施例では、ABS又は低いパワーのサブフレーム中の各下りチャネルは、高次位相振幅ジョイント変調を行ってもよく、例えば、16QAM又は64QAMにより変調を行ってもよい。しかし、これに限定されず、他の変調方式を採用してもよい。
【００２９】
本実施例では、ABS中の共通参照シンボル及び必要な極少数の制御チャネルなどは、規定のパワーで送信し、且つ、他の物理リソース位置において（例えば、PDSCH、CSI-RSなどの下り信号の位置において）は、低いパワーで送信してもよい。しかし、本発明は、ABSに限定されず、他の低いパワーで送信するサブフレーム、例えば、低いパワーで送信する正常なサブフレームなどにも適用し得る。ABS及び正常なサブフレーム（Normal  Subframe)の定義又は構造については、従来技術を参照することができるため、ここでは詳しい説明を省略する。
【００３０】
一実施形態では、ABS又は低いパワーのサブフレーム中の下りチャネルは、具体的に、PDSCHであってもよく、該比率情報は、具体的に、PDSCHのEPRE及びCRSのEPREの比率偏移値、又は、PDSCHのEPRE及びCRSのEPREの一つ又は複数の比率値を含んでもよい。
【００３１】
そのうち、基地局は、下り制御情報（DCI、Downlink  Control  Information)を用いて、比率情報及びタイミング指示情報をユーザ装置に送信してもよい。以下、ABSにおいて、DCIにより比率偏移値を含めることを例として、下りパワー分配のシグナリング指示方法について詳細に説明する。
【００３２】
偏移値を構成することを例とし、DCIを用いてシグナリングをキャリーすれば、シグナリングをN組に分けることができ、そのうち、各組には二つのシグナリング要素が含まれ、一つは、比率偏移値であり、もう一つは、タイミング情報である。なお、任意のDCI  formatを用いて、このシグナリングをキャリーしてもよく、例えば、DCI  format  1Aを採用してもよい。
【００３３】
図3は、本発明の実施例におけるDCIが比率偏移値を含むフローチャートである。図3に示すように、該シグナリング指示方法は、具体的に、次のステップを含む。
【００３４】
ステップ301:基地局側は先ず、どのサブフレームがABSを用いるかを決定し、また、各ABS中の各リソースにおいて各ユーザ装置がどれだけのパワーを使用するかをスケジューリングする。
【００３５】
ステップ302:基地局側は、ABS中のPDSCHのEPRE及びCRSのEPREの比率情報を計算する。
【００３６】
ステップ301中の策略に基づいて、基地局側は、どのユーザ装置が低いパワーのABSにおいてスケジューリングされる時に、PDSCHが使用するパワー比率が、CRSのパワー比率よりどれだけ低いかを、比率偏移値として計算する。該比率偏移値は、対数のdB値であってもよく、線形値であってもよい。
【００３７】
基地局側は、算出した比率偏移値をビット値に量化することができ、その後、タイミング情報と一緒に、組分けを行ってもよい。各組の情報構成は、{ratio  offset  value,np}i,i=0,1,・・・,N-lであってもよい。例えば、第3比率情報組は、{-20dB,3}3であってもよく、・・・、第21組は、{-24dB,13}21であってもよい。
【００３８】
ステップ303:基地局側は、DCIにより比率情報及びタイミング指示情報をユーザ装置に送信する。
【００３９】
基地局側は、ステップ302中のシグナリングを、subframe＃(n)においてDCIにより各UEに送信してもよい。UEは、受信した各組の比率に基づいて情報を調整し、subframe#(n+np)において比率(PA+ratio  offset  value)を用いて位相振幅ジョイント変調されたデータを復調する。そのうち、PAは、従来規格における下りパワー分配シグナリングの比率値であり、具体的には、従来技術を参照することができるため、ここでは詳しい説明を省略する。
【００４０】
例えば、PA=60dBの場合、某ユーザ装置が{-20dB,3}3を受信したら、該ユーザ装置は、現在のサブフレームの後の第3個のサブフレームのパワーが60+(-20)=40dBであるように計算することができる。
【００４１】
なお、以上は、DCIに比率偏移値が含まれる場合のみについての例示的な説明であり、本発明は、これに限定されない。また、本発明は、比率偏移値に限定されず、一つ又は複数の比率値であってもよく、即ち、実際の状況に応じて具体的な実施形態を確定してもよい。
【００４２】
このようにして、ユーザ装置は、40dBを用いて、現在のサブフレームの後の第3個のサブフレームのPDSCHに対して復調を行うことができる。よって、下り送信パワーの、一つのABS  patternにおける変化が速い場合にでも、ユーザ装置はリアルタイムにそれ相応の下り信号のパワーに関する情報を得ることができ、これにより、PDSCHに対して正確に復調を行うことができる。そのうち、基地局はさらに、上位層シグナリングにより比率情報及びタイミング指示情報をユーザ装置に送信することもできる。そのうち、該タイミング指示情報は、bitmapマッピングの形で送信されてもよい。
【００４３】
具体的には、周波数分割複信システムFDDでは、該タイミング指示情報は、１層又は複数層の40ビットによりキャリーされてもよく、又は、40*Nビットによりキャリーされてもよく、そのうち、Nは、複数のパワーレベルのうち各パワーレベルを表すビット数に対応する。
【００４４】
或いは、時間分割複信システムTDDでは、該タイミング指示情報は、１層又は複数層の20、60又は70ビットによりキャリーされてもよく、又は、20*Nビット、60*Nビット又は70*Nビットによりキャリーされてもよく、そのうち、Nは、複数のパワーレベルのうち各パワーレベルを表すビット数に対応する。
【００４５】
以下、FDDのシステムにおいて、上位層シグナリングに比率偏移値が含まれることを例とし、下りパワー分配のシグナリング指示方法について詳細に説明する。
【００４６】
偏移値を構成することを例とし、上位層シグナリング（例えば、RRC  signaling)を用いてそれ相応のパワー構成情報をキャリーする場合、シグナリングをN組に分けてもよく、そのうち、各組には２つのシグナリング要素が含まれ、一つは、比率偏移値であり、もう一つは、タイミング情報である。
【００４７】
図4は、本発明の実施例における上位層シグナリングが比率偏移値を含むフローチャートである。図4に示すように、該シグナリング指示方法は、具体的に次のステップを含む。
【００４８】
ステップ401:基地局側は先ず、どのサブフレームがABSを使用するかを決定し、各ABS中の各リソースにおいて各ユーザ装置がどれだけのパワーを使用するかをスケジューリングし；
ステップ402:基地局側は、ABS中のPDSCHのEPRE及びCRSのEPREの比率情報を計算する。
【００４９】
ステップ401中のストラテジーに基づいて、基地局側は、どのユーザ装置が低いパワーのABSにおいてスケジューリングされる時に、PDSCHが使用するパワー比率が、CRSのパワー比率よりどれだけ低いかを、比率偏移値として計算する。該比率偏移値は、対数のdB値であってもよく、線形値であってもよい。基地局側は、算出した比率をビット値に量化するこができ、その後、タイミング情報と一緒に、組分けを行う。各組の情報構成は、{ratio  offset  value,valid  pattern}i,i=0、1、・・・、Ν-1であってもよい。
【００５０】
本実施例では、使用する上位層シグナリングは、規格において、次のように体現されてもよく、そのうち、p-aは、従来規格における下りパワー分配シグナリングの比率値であるため、ここでは詳しい説明を省略する。また、比率偏移値は、次のようなデータ構造を採用してよい。
（外１）
2015510326.tif 000003
【００５１】
上述のように、delta-p-aは、新しく定義された枚挙類型であってもよく、{-20dB、-16dB、-12dB、-8dB}を含んでもよく、また、上述のようなデータ構造により、比率偏移値をユーザ装置に送信してもよい。
【００５２】
また、タイミング指示情報は、１層又は複数層の40ビットによりキャリーされてもよく、表1は、３層の40ビットの例を示している。そのうち、Level  1は、delta-p-aの-20dBに対応し、Level  2は、-16dBに対応し、Level  3は、-12dBに対応してもよい。
【表１】
2015510326.tif 000004
【００５３】
或いは、タイミング指示情報は、さらに、40*Nビットにより搬送されてもよい。表2は、40*2ビットの例を示している。そのうち、"01"は、delta-p-aの-20dBに対応し、"10"は、-16dBに対応し、"11"は、-12dBに対応してもよい。
【表２】
2015510326.tif 000005
【００５４】
ステップ403:基地局側は、上位層シグナリングにより、比率情報及びタイミング指示情報をユーザ装置に送信する。
【００５５】
基地局側は、ステップ402中のシグナリングを上位層シグナリングにより各UEに送信してもよい。UEは、受信した各組の比率に基づいて情報を調整し、bitmap（例えばvalid  pattern)が指示するサブフレームにおいて比率(PA+ratio  offset  value)を用いて位相振幅ジョイント変調されたデータを復調し、そのうち、PAは、従来規格中の下りパワー分配シグナリングである。
【００５６】
例えば、PA=60dBである場合、某ユーザ装置が表1に示すようなvalid  patternを受信した後に、該ユーザ装置は、第1個サブフレームのパワーが60+(-20)=40dBであり、第2個サブフレームのパワーが60+(-16)=44dBであり、第3個サブフレームのパワーが60+(-12)=48dBであり、...、第38個サブフレームのパワーが60+(-16)=44dBであるように計算することができる。
【００５７】
或いは、某ユーザ装置が表2に示すようなvalid  patternを受信した後に、該ユーザ装置は、第1個サブフレームのパワーが60+(-20)=40dBであり、第4個サブフレームのパワーが60+(-16)=44dBであり、...、第38個サブフレームのパワーが60+(-12)=48dBであるように計算することができる。
【００５８】
なお、以上は、上位層シグナリングに比率偏移値が含まれれる場合のみの例示的な説明であり、本発明は、これに限定されない。また、本発明は、比率偏移値に限定されず、一つ又は複数の比率値であってもよく、即ち、実際の状況に応じて具体的な実施形態を確定してもよい。
【００５９】
このようにして、下り送信パワーの、一つのABS  patternにおける変化は比較的速くても、ユーザ装置は、リアルタイムにそれ相応の下り信号のパワーに関する情報を得ることができ、これにより、PDSCHに対して正確に復調を行うことができる。
【００６０】
他の実施形態では、ABS又は低いパワーのサブフレーム中の下りチャネルは、具体的に、CSI-RSであってもよく、該比率情報は、具体的に、PDSCHのEPRE及びCSI-RSのEPREの比率偏移値、又は、PDSCHのEPRE及びCSI-RSのEPREの一つ又は複数の比率値を含んでもよい。
【００６１】
具体的な実施に当たって、基地局は、下り制御情報DCIにより、比率情報及びタイミング指示情報をユーザ装置に送信してもよい。UEは、受信した各組の比率に基づいて情報を調整し、subframe#(n+np)において比率(Pc+ratio  offset  value)を用いてチャネル測定を行うことができる。そのうち、Pcは、従来規格中の下りパワー分配シグナリングの比率値であり、具体的には、従来技術を参照することができるため、ここでは、詳しい説明を省略する。
【００６２】
このようにして、ユーザ装置は、該比率情報及びタイミング指示情報を受信した後に、それ相応の下り信号のパワーに関する情報を得ることができ、これにより、チャネル条件測定を正確に行うことができる。
【００６３】
具体的な実施に当たって、基地局は、さらに、上位層シグナリングにより、比率情報及びタイミング指示情報をユーザ装置に送信してもよい。そのうち、タイミング指示情報は、bitmapにより送信されてもよい。ユーザ装置は、受信した各組の比率に基づいて情報を調整し、指示されているサブフレームにおいて比率(Pc+ratio  offset  value)を用いてチャネル測定を行うことができ、そのうち、Pcは、従来規格中の下りパワー分配シグナリングである。
【００６４】
本実施例では、ABS又は低いパワーのサブフレーム中の下りチャネルは、具体的に、SI-RSである時に、該比率情報は、具体的に、さらに、CSI-RSのEPRE及びCRSのEPREの比率偏移値、又は、CSI-RSのEPRE及びCRSのEPREの一つ又は複数の比率値を含んでもよい。実際の状況に応じて具体的な実施形態を確定し得るので、ここでは、詳しい説明を省略する。
【００６５】
なお、以上は、DCI又は上位層シグナリングに比率偏移値が含まれる場合のみの例示的な説明であり、本発明は、これに限定されない。また、本発明は、比率偏移値に限定されず、一つ又は複数の比率値であってもよく、即ち、実際の状況に基づいて具体的な実施形態を確定してもよい。
【００６６】
本実施例では、基地局からユーザ装置への通知は、上位層シグナリング又は物理層下り制御シグナリング（DCI)を使用してもよく、また、UE-specificの方式を使用してもよく、cell-specificの方式を使用してもよい。実際の状況に応じて具体的な実施形態を確定してもよい。
【００６７】
このようにして、本発明は、ABS又は低いパワーのサブフレームにおいて、下りに搬送されているユニキャストサービスの物理チャネルが使用するパワーが動的に変化する時に、ユーザ装置が位相振幅ジョイント変調されたデータを正確に復調できず、又は、参照シンボル（例えば、CSI-RSなど）を用いてチャネル状態測定を正確に行うことができず、又は、位相振幅ジョイント変調された、データ領域に置かれた、制御チャネル（例えば、e-PCFICH、e-PDCCH、e-PHICHなど）を正確に復調することができないとの従来の問題を解決することができる。
【００６８】
本実施例では、従来のLTE規格において関連する比率情報を半静的な上位層シグナリング（high  layer  signaling)により構成することとは異なり、本発明は、パワーの相対的に動的な変化と、ネットワーク側に使用するABS  patternとの間の関連（関係）を用いて、新しいシグナリングを、従来規格の一つの補充として設計し、これにより、次のような目的を達成し、即ち、ABSの間のデータチャネル又はCSI-RSに使用するパワーの変化が比較的速い時にでも、本発明のシグナリング設計方法により、基地局側は、依然として、UEに、正確にPDSCHを復調させることができ(そのうちの搬送データが使用するのは、位相振幅ジョイント変調方式であってもよい）、又は、CSI-RSを用いて正確にチャネル状態測定を行わせることができる。
【００６９】
上述の実施例から分かるように、基地局は、ABS又は低いパワーのサブフレーム中の下りチャネルのパワー分配を指示するためのEPREの比率情報、及び、該比率情報のタイミング指示情報をユーザ装置に送信し、ユーザ装置に、比率情報及びタイミング指示情報に基づいて、ABS又は低いパワーのサブフレーム中の下りチャネルに対して処理を行わせる。このようにして、ABS又は低いパワーのサブフレーム中の下りに搬送されてるユニキャストサービスの物理チャネルが使用するパワーが動的に変化する時に、ユーザ装置は、位相振幅ジョイント変調されたデータを正確に復調することができ、又は、チャネル状態測定を正確に行うことができる。
【実施例２】
【００７０】
本発明の実施例は、下りパワー分配のシグナリング指示方法を提供し、それは、ABS又は低いパワーのサブフレーム中の下りチャネルに用いられる。なお、基地局側とは同じである部分はここでは省略する。
【００７１】
図5は、本発明の実施例におけるシグナリング指示方法のフローチャートであり、図5に示すように、ユーザ装置側では、前記シグナリング指示方法は、次のステップを含む。
【００７２】
ステップ501：ユーザ装置は、基地局が送信した、ABS又は低いパワーのサブフレーム中の下りチャネルのパワー分配を指示するためのEPREの比率情報、及び、該比率情報のタイミング指示情報を受信し；
ステップ502：ユーザ装置は、該比率情報及びタイミング指示情報に基づいて、該下りチャネルに対して処理を行う。
【００７３】
一実施形態では、ABS又は低いパワーのサブフレーム中の下りチャネルは、具体的に、PDSCHであってもよく、該比率情報は、具体的に、PDSCHのEPRE及びCRSのEPREの比率偏移値、又は、PDCSHのEPRE及びCRSのEPREの一つ又は複数の比率値を含んでもよい。
【００７４】
図6は、本発明の実施例におけるシグナリング指示方法の他のフローチャートであり、図6に示すように、前記シグナリング指示方法は、次のステップを含む。
【００７５】
ステップ601：ユーザ装置は、基地局が送信したPDSCHのEPRE及びCRSのEPREの比率情報、及び、該比率情報のタイミング指示情報を受信し；
ステップ602：ユーザ装置は、該タイミング指示情報に基づいて、一つ又は複数のサブフレームを確定し；及び
ステップ603：ユーザ装置は、該比率情報に基づいて、一つ又は複数のサブフレーム中のPDSCH上のパワーを計算し、そして、算出したパワーを用いてPDSCHに対して復調を行う。
【００７６】
他の実施形態では、ABS又は低いパワーのサブフレーム中の下りチャネルは、具体的に、CSI-RSであってもよく、該比率情報は、具体的に、PDSCHのEPRE及びCSI-RSのEPREの比率偏移値、又は、PDSCHのEPRE及びCSI-RSのEPREの一つ又は複数の比率値を含んでもよい。
【００７７】
図7は、本発明の実施例におけるシグナリング指示方法の他のフローチャートであり、図7に示すように、前記シグナリング指示方法は、次のステップを含む。
【００７８】
ステップ701：ユーザ装置は、基地局が送信したPDSCHのEPRE及びCSI-RSのEPREの比率情報、及び、該比率情報のタイミング指示情報を受信し；
ステップ702：ユーザ装置は、該タイミング指示情報に基づいて、一つ又は複数のサブフレームを確定し；
ステップ703：ユーザ装置は、該比率情報に基づいて、一つ又は複数のサブフレーム上のCSI-RSのパワーを計算し、また、算出したパワーを用いて、CSI-RSに対してチャネル測定を行う。
【００７９】
本実施例では、ABS又は低いパワーのサブフレーム中の下りチャネルは、具体的に、CSI-RSである時に、該比率情報は、具体的に、更に、CSI-RSのEPRE及びCRSのEPREの比率偏移値、又は、CSI-RSのEPRE及びCRSのEPREの一つ又は複数の比率値を含んでもよい。実際の状況に応じて具体的な実施形態を確定してもよいので、ここでは詳しい説明を省略する。
【００８０】
上述の実施例から分かるように、ユーザ装置は、基地局が送信した、ABS又は低いパワーのサブフレーム中の下りチャネルのパワー分配を指示するためのEPREの比率情報及びタイミング指示情報に基づいて、ABS又は低いパワーのサブフレームの下りチャネルに対して処理を行う。ABS又は低いパワーのサブフレーム中の下りにキャリーされているユニキャストサービスの物理チャネルが使用するパワーが動的に変化する時に、ユーザ装置は、位相振幅ジョイント変調されたデータを正確に復調することができ、又は、チャネル状態測定を正確に行うことができる。
【実施例３】
【００８１】
本発明の実施例は、基地局を提供し、それは、実施例1の下りパワー分配のシグナリング指示方法に対応するため、実施例1とは同じ部分の記載はここでは省略する。
【００８２】
図8は、本発明の実施例における基地局の構成図であり、図8に示すように、前記基地局800は、情報送信ユニット801を含む。基地局の他の部分は、従来技術を参照することができるため、ここでは詳しい説明を省略する。
【００８３】
そのうち、情報送信ユニット801は、ABS又は低いパワーのサブフレーム中の下りチャネルのパワー分配を指示するためのEPREの比率情報、及び該比率情報のタイミング指示情報をユーザ装置に送信し、該ユーザ装置に、該比率情報及びタイミング指示情報に基づいて、該下りチャネルに対して処理を行わせる。
【００８４】
一実施形態では、ABS又は低いパワーのサブフレーム中の下りチャネルは、具体的に、PDSCHであってもよく、該比率情報は、具体的に、PDSCHのEPRE及びCRSのEPREの比率偏移値、又は、PDSCHのEPRE及びCRSのEPREの一つ又は複数の比率値を含んでもよい。
【００８５】
他の実施形態では、ABS又は低いパワーのサブフレーム中の下りチャネルは、具体的に、CSI-RSであってもよく、該比率情報は、具体的に、PDSCHのEPRE及びCSI-RSのEPREの比率偏移値、又は、PDSCHのEPRE及びCSI-RSのEPREの一つ又は複数の比率値を含んでもよい。
【００８６】
本実施例では、ABS又は低いパワーのサブフレーム中の下りチャネルは、具体的に、CSI-RSである時に、該比率情報は、具体的に、更に、CSI-RSのEPRE及びCRSのEPREの比率偏移値、又は、CSI-RSのEPRE及びCRSのEPREの一つ又は複数の比率値を含んでもよい。実際の状況に応じて具体的な実施形態を確定してもよいので、ここでは詳しい説明を省略する。
【００８７】
具体的な実施に当たって、情報送信ユニット801は、DCIにより、比率情報及びタイミング指示情報をユーザ装置に送信してもよい。
【００８８】
或いは、情報送信ユニット801は、さらに、上位層シグナリングにより、比率情報及びタイミング指示情報をユーザ装置に送信してもよい。そのうち、タイミング指示情報は、bitmapにより送信されてもよい。
【００８９】
上述の実施例から分かるように、基地局は、ABS又は低いパワーのサブフレーム中の下りチャネルのパワー分配を指示するためのEPREの比率情報、及び該比率情報のタイミング指示情報をユーザ装置に送信し、ユーザ装置に、該比率情報及びタイミング指示情報に基づいて、ABS又は低いパワーのサブフレームの下りチャネルに対して処理を行わせる。ABS又は低いパワーのサブフレーム中の下りにキャリーされているユニキャストサービスの物理チャネルが使用するパワーが動的に変化する時に、ユーザ装置は、位相振幅ジョイント変調されたデータを正確に復調することができ、又は、チャネル状態測定を正確に行うことができる。
【実施例４】
【００９０】
本発明の実施例は、ユーザ装置を提供し、それは、実施例2の下りパワー分配のシグナリング指示方法に対応するため、実施例2とは同じ部分の記載はここでは省略する。
【００９１】
図9は、本発明の実施例のユーザ装置の構成図であり、図9に示すように、前記ユーザ装置900は、情報受信ユニット901及び信号処理ユニット902を含む。ユーザ装置の他の部分については、従来技術を参照することができるため、ここでは詳しい説明を省略する。
【００９２】
そのうち、情報受信ユニット901は、基地局が送信した、ABS又は低いパワーのサブフレーム中の下りチャネルのパワー分配を指示するためのEPRE比率情報、及び該比率情報のタイミング指示情報を受信し、信号処理ユニット902は、該比率情報及びタイミング指示情報に基づいて該下りチャネルに対して処理を行う。
【００９３】
一実施形態では、ABS又は低いパワーのサブフレーム中の下りチャネルは、具体的に、PDSCHであってもよく、該比率情報は、具体的に、PDSCHのEPRE及びCRSのEPREの比率偏移値、又は、PDSCHのEPRE及びCRSのEPREの一つ又は複数の比率値を含んでもよい。
【００９４】
図10は、本発明の実施例における信号処理ユニットの構成図であり、図10に示すように、信号処理ユニット902は、具体的に、サブフレーム確定ユニット1001、パワー計算ユニット1002及びチャネル復調ユニット1003を含んでもよい。
【００９５】
そのうち、サブフレーム確定ユニット1001は、タイミング指示情報に基づいて、一つ又は複数のサブフレームを確定し、パワー計算ユニット1002は、比率情報に基づいて、該一つ又は複数のサブフレーム中のPDSCH上のパワーを計算し、チャネル復調ユニット1003は、算出されたパワーを用いてPDSCHに対して復調を行う。
【００９６】
他の実施形態では、ABS又は低いパワーのサブフレーム中の下りチャネルは、具体的に、CSI-RSであってもよく、該比率情報は、具体敵に、PDSCHのEPRE及びCSI-RSのEPREの比率偏移値、又は、PDSCHのEPRE及びCSI-RSのEPREの一つ又は複数の比率値を含んでもよい。
【００９７】
本実施例では、ABS又は低いパワーのサブフレーム中の下りチャネルは、具体的に、CSI-RSである時に、該比率情報は、具体的に、更に、CSI-RSのEPRE及びCRSのEPREの比率偏移値、又は、CSI-RSのEPRE及びCRSのEPREの一つ又は複数の比率値を含んでもよい。実際の状況に応じて具体的な実施形態を確定してもよいため、ここでは詳しい説明を省略する。
【００９８】
図11は、本発明の実施例における信号処理ユニットの他の構成図であり、図11に示すように、信号処理ユニット902は、具体的に、サブフレーム確定ユニット1101、パワー計算ユニット1102及びチャネル測定ユニット1103を含んでもよい。
【００９９】
そのうち、サブフレーム確定ユニット1101は、タイミング指示情報に基づいて、一つ又は複数のサブフレームを確定し、パワー計算ユニット1102は、比率情報に基づいて、該一つ又は複数のサブフレーム中のCSI-RS上のパワーを計算し、信号測定ユニットは、算出されたパワーを用いて、CSI-RSに対してチャネル測定を行う。
【０１００】
上述の実施例から分かるように、ユーザ装置は、基地局が送信した、ABS又は低いパワーのサブフレーム中の下りチャネルのパワー分配を指示するためのEPRE比率情報及びタイミング指示情報に基づいて、ABS又は低いパワーのサブフレームの下りチャネルに対して処理を行う。ABS又は低いパワーのサブフレーム中の下りにキャリーされているユニキャストサービスの物理チャネルが使用するパワーが動的に変化する時に、ユーザ装置は、位相振幅ジョイント変調されたデータを正確に復調することができ、又は、チャネル状態測定を正確に行うことができる。
【０１０１】
本発明の実施例は、更に、コンピュータ可読プログラムを提供し、そのうち、基地局において前記プログラムを実行する時に、前記プログラムは、コンピュータに、前記基地局において実施例1に記載のような下りパワー分配のシグナリング指示方法を実行させる。
【０１０２】
本発明の実施例は、更に、コンピュータ可読プログラムを記憶した記憶媒体を提供し、そのうち、前記コンピュータ可読プログラムは、コンピュータに、基地局において実施例1に記載のような下りパワー分配のシグナリング指示方法を実行させる。
【０１０３】
本発明の実施例は、更に、コンピュータ可読プログラムを提供し、そのうち、ユーザ装置において前記プログラムを実行する時に、前記プログラムは、コンピュータに、前記ユーザ装置において実施例2に記載のような下りパワー分配のシグナリング指示方法を実行させる。
【０１０４】
本発明の実施例は、更に、コンピュータ可読プログラムを記憶した記憶媒体を提供し、そのうち、前記コンピュータ可読プログラムは、コンピュータに、ユーザ装置において、実施例2に記載のような下りパワー分配のシグナリング指示方法を実行させる。
【０１０５】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、フィールドプログラマブルロジック部品、マイクロプロセッサ、コンピュータに用いる処理器などである。また、本発明は、さらに、上述のプログラムを記録している記憶媒体、例えば、ハードディスク、磁気ディスク、光ディスク、DVD、flashメモリ、磁気光ディスク、メモリカード、メモリスティックなどにも関する。
【０１０６】
図面に記述の機能ブロック中の一つ又は複数及び/又は機能ブロックの一つ又は複数の組み合わせについては、本出願に記載の機能を実行するための汎用処理器、DSP、ASIC、FPGA又は他のプログラミング可能なロジカルユニット、個別ゲート又はトランジスタロジカルユニット、個別ハードウェアアセンブリ又は他の任意の適切な組み合わせとして実現されてもよい。図面に記述の機能ブロック中の一つ又は複数及び/又は機能ブロックの一つ又は複数の組み合わせについては、さらに、計算設備の組み合わせ、例えば、DSP及びマイクロプロセッサーの組み合わせ、複数のマイクロプロセッサー、DSPと通信結合される一つ又は複数のマイクロプロセッサー又は任意の他のこのような構成として実現されてもよい。
【０１０７】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2015510326.tif 000006
【図２】
2015510326.tif 000007
【図３】
2015510326.tif 000008
【図４】
2015510326.tif 000009
【図５】
2015510326.tif 000010
【図６】
2015510326.tif 000011
【図７】
2015510326.tif 000012
【図８】
2015510326.tif 000013
【図９】
2015510326.tif 000014
【図１０】
2015510326.tif 000015
【図１１】
2015510326.tif 000016
【国際調査報告】
2015510326.tif 000017
2015510326.tif 000018
2015510326.tif 000019
2015510326.tif 000020